(57)【要約】【課題】  リクライニングの角度を任意に変更できる自走式マッサージ機構を提供する。【解決手段】  リクライニングの角度を任意に変更できる自走式マッサージ機構の一種であり、一つの折りたたみ椅子及び一つのマッサージ機構を含む。当該マッサージ機構は、一つの駆動モータで二本のセンター軸を連動させ、経由することによって、それぞれ第一、第二マッサージユニット及び二つの移動ユニットを同期させる。二つの移動ユニットは、それぞれ二つの駆動ギアと一つの従動ギアを備え、二本のベルトに沿って噛み合いながら移動することで、レールの配置による制限されることを解決できる。そのマッサージ機構をその二本のベルトを利用して折りたたみ椅子に設置することによって、折りたたみ椅子の特性に合わせて任意にリクライニングの角度を調節でき、レールの制限がない状態で、椅子を折りたためることでコンパクトになり、収納容易で保管に役に立つ。【選択図】図２
2020000823.tif 000002
【特許請求の範囲】
【請求項１】
リクライニングの角度を任意に変更できる自走式マッサージ機構の一種であって、
一つの折りたたみ椅子及び一つのマッサージ機構を含み、
そのマッサージ機構は、駆動モータ１つで二本のセンター軸を連動させ、その二本のセンター軸を経由して駆動モータの左右側に至り、それぞれ第一マッサージユニットと第二マッサージユニットを連動させ、
そのマッサージ機構は、二つの移動ユニット及び二本のベルトを備え、
二つの移動ユニットは、対称的に駆動モータの両側に設置され、それぞれ一つのケースの中に二つの駆動ギア及び二つの駆動ギア間の従動ギアが設けられ、
二つの駆動ギアは、それぞれ２つのセンター軸と連動し、従動ギアが一つのシャフトを経由してケースに設置され、そのケースの両側にベルトを通すためにそれぞれ一つの通気孔が設けられ、
そのベルトをその二つの移動ユニットを通す時に、「Ｓ」型蛇行して２つの駆動ギアと従動ギアの間を通し、二本のベルトを対称的にその折りたたみ椅子に設置し、
駆動モータが作動時、それらの駆動ギアを従動ギアの噛み合いによって、ベルトに沿って移動することができ、第一、第二マッサージユニットの回転もみのマッサージ目的を果たす自走式マッサージ機構。
【請求項２】
請求項１に記載されているリクライニングの角度を任意に変更できる自走式マッサージ機構により、その折りたたみ椅子は、一つの背もたれ部、一つの座部及び一つのフットレスト部にて一つの椅子フレームが構成されおり、一つ「人」字型の椅子脚及びひじ掛けにて支えるためにフレームが構成され、そのひじ掛けをそれぞれ背もたれ部とフットレスト部に連結させることによって、リクライニングの角度を任意に変更することができると同時に、フットレスト部の角度も調整でき、
その折りたたみ椅子のフレームは支えるための椅子カバーを備えてなる自走式マッサージ機構。
【請求項３】
請求項２に記載されているリクライニングの角度を任意に変更できる自走式マッサージ機構により、その座部とそのフットレスト部の連結位置に、対称的内側向きに二本の回転軸部が設置され、そのフットレスト部にその二本の回転軸より低い位置に一つの位置決めの横パイプが設けられ、その背もたれ部の頂部に固定の横パイプが設けられるため、二本のベルトの片方が固定の横パイプに設置され、片方が椅子フレームに沿って二つの回転軸部を通した後位置決めの横パイプに設置されることで、マッサージ機構の作動を提供する自走式マッサージ機構。
【請求項４】
請求項１に記載されているリクライニングの角度を任意に変更できる自走式マッサージ機構により、その移動ユニットは、ケース内部の上部面の中央に一つの内抑え蓋が形成され、その内円弧面の両側がそれぞれ下向きに延び、誘導突起部になり、その誘導突起部はそれぞれ両側の通気口方向に延びることによって、誘導円弧面が形成され、
ケースの内部は、二つの通気口に沿って内側に延び、誘導横板があり、内抑え蓋がその従動ギアに面し、両側の誘導円弧面がそれぞれの駆動ギアに面しているため、位置決め状態が形成される自走式マッサージ機構。
【発明の詳細な説明】
【技術分野】
【０００１】
本発明は、マッサージ機構、特に、折りたたみ椅子に設置し、リクライニングの角度を任意に変更できる自走式マッサージ機構に関するものである。
【背景技術】
【０００２】
従来、マッサージ機構は、（第１３、１４、１５図の通り、あるいは本国特許申請第１０６２１３６８７号の「マッサージ機構巻き取り機構」を参照して下さい）一つの本体３０、一つのマッサージユニット４０、一つの動力装置５０及び二本のベルト６０を備えておる。そのうち、本体３０には、一つの底部３１、二つの固定ユニット３２と一つの背もたれ部３３、二つの固定ユニット３２の中にそれぞれ設置されるレール３２１、二本の第一回転軸３２２と第二回転軸３２３、マッサージユニット４０は一つ第一モータ４１を備え、一本の第一モータ軸４２及びそのセットが第一モータ軸４２にあるマッサージ器４３、端に一つの連結ブロック４４を有し、動力装置５０は連結回転の一つ第二モータ５１を有し、一本の第二回転軸５２と二つギアユニット５３、その二つのギアユニット５３は噛み合う一つの主動ギア５３１と二つの従動ギア５３２を備え、そして、ベルト６０は主動ギア５３１と従動ギア５３２が噛み合い部、二本の第一回転軸３２２、第二回転軸３２３の下周り沿面を連続的に通した後に突き合わせることによって、その二本のベルト６０は、二本のレール３２１に沿って回り、前述マッサージユニット４０の二つ連結ブロック４４を合わせるもの。
【０００３】
前述機構が作動時、そのマッサージユニット４０が第一モータ４１を通してマッサージ器４３をもみマッサージ状態にさせる。その動力装置５０のギアユニット５３をベルト６０に噛み合わせて固定ユニット３２のレール３２１に沿って作動させ、マッサージユニット４０の全体がレール３２１に合わせて置かれ、レール３２１に沿って動力装置５０に二本のベルト６０を通して往復運行される。その場合、使用者が本体３０に座れば、マッサージユニット４０と動力装置５０が同時に動き、動力装置がマッサージユニット４０を動かし、人体の太もも、臀部、腰部、背部、肩、首に沿って、上下往復の循環マッサージを行う、或いはマッサージユニット４０を単独に動かし、マッサージユニット４０を任意の位置に止めることができ、止める場所の定位置に対してマッサージを強めることができる。動力装置５０がマッサージユニット５０を動かして運行時、ギアユニット５３の連続運転を利用し、主動ギア５３１と従動ギア５３２の噛み合いによりベルト６０を挟み込みながら前進或いは後退をするため、ベルト６０をレール３２１に沿わせて適当な蛇行運行をさせる。二本のベルト６０と前述マッサージユニット４０連結ブロック４４の結合により、前述ベルト６０の正転、逆転時、マッサージユニット４０をともに引っ張り、前述レール３２１で同方向の運行が生じる。一つずつの歯との噛み合いでベルト６０を挟み込みながら作動すれば、有効的にベルト６０の滑り、ゆるみ或いは停止して進まない現象を回避でき、動力が確実に伝達でき、身体の各部位をマッサージすることができる。
【発明の概要】
【発明が解決しようとする課題】
【０００４】
前述周知通りの機構をよく見ると、どこかに欠点があることを発見するのは難しくない。主な原因は、前述機構のマッサージユニット４０及び動力装置５０がそれぞれ二つの駆動器を通して運行ささせている、ベルト６０は必ずレール３２１に沿う必要があり、マッサージユニット４０を引っ張って移動作動することで、本体３０にはあらかじめレール３２１の設置が必要で、折りたたみや収納ができず、本体の背もたれ３３の角度を任意に調節できず、同時にマッサージユニット４０の運行角度も制限してしまい、機構の使用上の多様性に欠け、実用性にも欠けている。
【０００５】
この点を鑑みて、本発明者は数年間相関商品の製造開発と設計に携わった経験に基づき、前述目標について、設計を強化、慎重に評価した上、ようやく確実に実用性を備える本発明を獲得した。
【０００６】
本発明が解決しようとしている技術問題は、既に存在している技術に上述した欠点があることに対して、リクライニングの角度を任意に変更できる自走式マッサージ機構を提供する。
【課題を解決するための手段】
【０００７】
前述リクライニングの角度を任意に変更できる自走式マッサージ機構は、一つの折りたたみ椅子及び一つのマッサージ機構を含む。そのマッサージ機構は、駆動モータ１つで二本のセンター軸を連動させ、その二本のセンター軸を経由し、駆動モータの左右側に至り、それぞれ第一マッサージユニットと第二マッサージユニットを連動させるものである。そのマッサージ機構は、二つの移動ユニット及び二本のベルトを備え、二つの移動ユニットは対称的に駆動モータの両側に設置され、それぞれ一つのケースの中に、二つの駆動ギア及び二つの駆動ギア間の従動ギアが設けられ、二つの駆動ギアはそれぞれ２つのセンター軸と連動するが、従動ギアが一つのシャフトを経由してケースに設置され、そのケースの両側にベルトを通すために、それぞれ一つの通気口が設けられる。そのベルトをその二つの移動ユニットに通す時に、「Ｓ」型蛇行して２つの駆動ギアと従動ギアの間を通し、二本のベルトを対称的にその折りたたみ椅子に設置する。駆動モータが作動時、それらの駆動ギアと従動ギアの噛み合いによって、ベルトに沿って移動することができ、第一、第二マッサージユニットの回転もみのマッサージ目的を果たす。
【０００８】
芳しいものとして、その折りたたみ椅子は、一つの背もたれ部、一つの座部及び一つのフットレスト部にて一つの椅子フレームが構成されおり、一つ「人」字型の椅子脚及びひじ掛けにて支えるためにフレームが構成され、そのひじ掛けをそれぞれ背もたれ部とフットレスト部に連結させることによって、リクライニングの角度を任意に変更することができると同時に、フットレスト部の角度も調整できる。その折りたたみ椅子のフレームは支えるための椅子カバーを備える。
【０００９】
芳しいものとして、その座部とそのフットレスト部の連結位置に、対称的内側向きに二本の回転軸部が設置され、そのフットレスト部にその二本の回転軸より低い位置に一つの位置決めの横パイプが設けられ、その背もたれ部の頂部に固定の横パイプが設けられるため、二本のベルトの片方が固定の横パイプに設置され、片方が椅子フレームに沿って二つの回転軸部を通した後位置決めの横パイプに設置されることで、マッサージ機構の作動を提供する。
【００１０】
芳しいものとして、その移動ユニットは、ケース内部の上部面の中央に一つの内抑え蓋が形成され、その内抑え蓋の両側がそれぞれ下向きに延び、誘導突起部になる。その誘導突起部はそれぞれ両側の通気口方向に延びることによって、誘導円弧部が形成される。ケースの内部は、二つの通気口に沿って内側に延び、誘導横板があり、内抑え蓋がその従動ギアに面し、両側の誘導円弧面がそれぞれの駆動ギアに面しているため、位置決め状態が形成される。
【発明の効果】
【００１１】
先行機構の効果に照らし合わせると、当該マッサージ機構は、一つの駆動モータで二本のセンター軸を経由し連動させることによって、それぞれ第一、第二マッサージユニット及び二つの移動ユニットの同期させることができる。二つの移動ユニットは、それぞれ二つの駆動ギアと一つの従動ギアを備え、二本のベルトに沿って噛み合いながら移動することで、レールの配置による制限されることを解決できる。そのマッサージ機構をその二本のベルトを利用して折りたたみ椅子に設置することによって、折りたたみ椅子の特性に合わせて任意にリクライニングの角度を調節でき、マッサージ機構の使用上の多様化を図ることに役に立ち、レールの制限がない状態で、椅子を折りたたむことができることで、コンパクトになり、使用者の簡単収納、保管に役に立つ。
【図面の簡単な説明】
【００１２】
【図１】本発明の立体図
【図２】本発明の分解図
【図３】本発明の側面図
【図４】本発明の角度調節を示す模式図
【図５】本発明の角度調節を示すイメージ図
【図６】本発明の角度調節、椅子カバーを含んだ立体図
【図７】本発明の移動ユニットとベルト間の設置状態を示す模式図
【図８】本発明のマッサージ機構がベルトに沿って運行作動を示す模式図
【図９】本発明のマッサージ機構がベルトに沿って運行する回転軸部を示す模式図
【図１０】本発明の図９のマッサージ機構の部分拡大図
【図１１】本発明の収納状態を示す模式図
【図１２】本発明の移動ユニットの実施例の一つの模式図
【図１３】従来機構の立体図
【図１４】従来機構の分解図
【図１５】従来機構の運行状態を示す模式図
【発明を実施するための形態】
【００１３】
審査員に本発明の目的、特徴及び効果をよく理解、認識していただくために、「図面の簡単な説明」に合わせて下記通りに詳しく説明する。
先ず、図１、２、３を見て下さい。リクライニングの角度を任意に変更できる自走式マッサージ機構の一種であり、その機構は、一つの折りたたみ椅子１０及び一つのマッサージ機構２０を含む。その折りたたみ椅子１０は、一つの背もたれ部１１、一つの座部１２及び一つのフットレスト部１３にて一つの椅子フレームが構成されており、一つ「人」字型の椅子脚１４及びひじ掛け１５にて支えるためにフレームが構成され、そのひじ掛け１５両端をそれぞれ背もたれ部１１とフットレスト部１３に連結させることによって、折りたたみ椅子１０の背もたれ部１１の角度（図４、図５）を任意に変更することができると同時に、フットレスト部１３の角度も調整できる。その背もたれ部１１の頂部に固定の横パイプ１１１があり、その座部１２とそのフットレスト部１３の連結位置に、対称的内側向きに二本の回転軸部１２１が設置され、そのフットレスト部１３にその二本の回転軸１２１より低い位置に一つの位置決めの横パイプ１３１が設けられる。当該マッサージ機構２０は、一つの駆動モータ２１で二本のセンター軸２２を連動させ、その二本のセンター軸２２を経由し、駆動モータ２１の左右側に至り、それぞれ第一マッサージユニット２３と第二マッサージユニット２４を連動させるものである。そのマッサージ機構２０は、二つの移動ユニット２５及び二本のベルト２６を備え、二つの移動ユニット２５は対称的に駆動モータ２１の両側に設置され、それぞれ一つのケース２５１の中に、二つの駆動ギア２５２及び二つの駆動ギア２５２間の従動ギア２５３が設けられ、二つの駆動ギア２５２はそれぞれ２つのセンター軸２２と連動するが、従動ギア２５３が一つのシャフト２５４を経由してケース２５１に設置され、そのケース２５１の両側にベルト２６を通すために、それぞれ一つの通気口２５５が設けられる。
【００１４】
機構の組成について、図１、２、３を参照し、図７、８を合わせて見て下さい。当該マッサージ機構２０の二つの移動ユニット２５は、ベルト２６をケース２５１の二つの通気口２５５に通し、二本のベルト２６をケース２５１に通す時に、「Ｓ」型蛇行して２つの駆動ギア２５２と従動ギア２５３の間を通し、二本のベルト２６の片方が固定の横パイプ１１１に設置され、片方が椅子フレームに沿って二つの回転軸部１２１を通した後位置決めの横パイプ１３１に設置される。椅子フレームの背もたれ部１１及び座部１２間にゆとりがあるベルトを利用して、二本のベルト２６を制限し（図未表示）。折りたたみ椅子１０のフレームは支えるための椅子カバー１６（図６）を備える。マッサージ機構１０を折りたたみ椅子に抑えるためにあり、さらに使用者に座り、横になるためにあるものである。上記機構により、リクライニングの角度を任意に変更できる自走式マッサージ機構が形成される。
【００１５】
機構の実際の使用状態について、図３を参照し、図７、８、９、１０を合わせて見て下さい。当該マッサージ機構２０の駆動モータ２１が作動時、その駆動モータ２１は二本のセンター軸２２を経由し、それぞれ第一、第二マッサージユニット２３、２４及び二つの駆動ギア２５２を同期させることで、駆動ギア２５２が回転される時に、従動ギア２５３も連動され、二本のベルト２６の表面と噛み合いながら作動する。従って、二本のベルト２６に沿って移動する。当該マッサージ機構２０を背もたれ部１１の固定の横パイプ１１１から座部１２とフットレスト部１３間の支点軸部１２１まで移動させることができることで、椅子フレームに沿って作動しながら移動できることを実現できる。第一、第二マッサージユニット２３、２４の同期回転もみを通して、背、腰、臀部へのマッサージする効果を果たす。
【００１６】
マッサージ機構２０が二つの支点軸部１２１に着き、リミットに当たり停止時、その駆動モータ２１は逆方向に作動し、二つの移動ユニット２５を連動させ、二本のベルト２６に沿って支点軸部１２１から背もたれ部１１の固定の横パイプ１１１まで移動することができる。そのマッサージ機構２０が原点復帰するとともに使用者にマッサージ効果を提供する。
【００１７】
移動ユニット２５の一つ芳しい実施例について、図１１を参照して下さい。その移動ユニット２５は、ケース２５１内部の上部面の中央に一つの内抑え蓋２５６が形成され、その内抑え蓋２５６の両側がそれぞれ下向きに延び、誘導突起部２５７になる。その二つの誘導突起部２５７はそれぞれ両側の通気口２５５方向に延びることによって、誘導円弧部２５８が形成される。ケース２５１の内部は、二つの通気口２５５に沿って内側に延び、誘導横板２５９があり、内抑え蓋２５６がその従動ギア２５３に面し、両側の誘導円弧面２５８がそれぞれの駆動ギア２５２に面しているため、一つの位置決め状態が形成される。当該ベルト２６を通気口２５５からケース２５１と二つの駆動ギア２５２及び従動ギア２５３まで蛇行して設置する時に、そのベルトは二つの通気口２５５の誘導横板２５９に支えられ、と同時に確実に二つの駆動ギア２５２及び誘導円弧部２５８間に制限されるため、正確に二つの駆動ギア２５２及び従動ギア２５３に導入され噛み合いながら作動し、移動ユニット２５の噛み合い作動の安定性を向上させ、マッサージ機構２０の走行順調度を実現する。
【００１８】
前述実施例の機構について、下記通りの効果が得られる。当該マッサージ機構２０は、一つの駆動モータ２１で二本のセンター軸２２を経由し連動させることによって、それぞれ第一、第二マッサージユニット２３、２４及び二つの移動ユニット２５の同期させることができる。二つの移動ユニット２５は、それぞれ二つの駆動ギア２５２と一つの従動ギア２５３を備え、二本のベルト２６に沿って噛み合いながら移動することで、レールの配置による制限されることを解決できる。そのマッサージ機構２０をその二本のベルト２６を利用して折りたたみ椅子１０に設置することによって、折りたたみ椅子１０の特性に合わせて任意にリクライニングの角度を調節でき、マッサージ機構２０の使用上の多様化を図ることに役に立ち、レールの制限がない状態で、折りたたみ椅子１０を折りたたむことができること（図１２）で、コンパクトになり、使用者の簡単収納、保管に役に立つ。
【００１９】
上述内容を集約すると、本発明は、確実に画期的な機構設計になっており、改良した発明内容を有し、と同時に産業での利用価値あり、進歩性を持っている。本発明は、一切刊行物にて掲載されておらず、新規性を有する。特許法の関係法条の規定に符合し、法律に従って発明特許を申請するため、審査委員会より合法特許権を与えていただきたく存じ、感謝に堪えない。
上記実施例は、本発明の一部の芳しい実施例にすぎないため、本発明の実施範囲を限定することができない。本発明の特許申請範囲によって均等変化と修飾は、本発明特許に含まれる範囲に属するとするべき。
【符号の説明】
【００２０】
１０    折りたたみ椅子
１１    背もたれ部
１１１  固定横パイプ
１２    座部
１２１  回転軸部
１３    フットレスト部
１３１  横パイプ
１４    椅子脚
１５    ひじ掛け
１６    椅子カバー
２０    マッサージ機構
２１    駆動モータ
２２    センター軸
２３    第一マッサージユニット
２４    第二マッサージユニット
２５    移動ユニット
２５１  ケース
２５２  駆動ギア
２５３  従動ギア
２５４  回転軸キャップ
２５５  通気口
２５６  内抑え蓋
２５７  誘導突起部
２５８  誘導円弧部
２５９  誘導横板
２６    ベルト
３０    本体
３１    底部
３２    固定ユニット
３２１  レール
３２２  第一回転軸
３２３  第二回転軸
３３    背もたれ部
４０    マッサージユニット
４１    第一モータ
４２    第一モータ軸
４３    マッサージ器
４４    連結ブロック
５０    動力装置
５１    第二モータ
５２    第二回転軸
５３    ギアユニット
５３１  主動ギア
５３２  従動ギア
６０    ベルト
【図１】
2020000823.tif 000003
【図２】
2020000823.tif 000004
【図３】
2020000823.tif 000005
【図４】
2020000823.tif 000006
【図５】
2020000823.tif 000007
【図６】
2020000823.tif 000008
【図７】
2020000823.tif 000009
【図８】
2020000823.tif 000010
【図９】
2020000823.tif 000011
【図１０】
2020000823.tif 000012
【図１１】
2020000823.tif 000013
【図１２】
2020000823.tif 000014
【図１３】
2020000823.tif 000015
【図１４】
2020000823.tif 000016
【図１５】
2020000823.tif 000017